(57)【要約】【課題】造花を含む花卉類の茎や枝等の飾り付け姿勢の自由度を高めることができると共に、その飾り付け作業を効率的に行なうことが可能となり、しかも撤去作業にも有利な新規な構造からなる献花用装飾具、およびそれを利用した新規な献花の装飾方法を提供する。【解決手段】適宜太さと長さと有する柔軟可撓性ある独立発泡樹脂製の弾性柱体２を、装飾用台座３に装着させた上、当該弾性柱体２に多数の造花４を突き刺し状に植設して当該弾性柱体の少なくとも一側周壁面を覆い尽してなる献花用装飾具である。【選択図】    図４
2004242968.tif 000002
【特許請求の範囲】
【請求項１】
適宜太さと長さとに形成した柔軟可撓性ある独立発泡樹脂製の弾性柱体を、所望の姿勢配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽してなるものとしたことを特徴とする献花用装飾具。
【請求項２】
適宜太さと長さとに形成した柔軟可撓性ある独立発泡樹脂製の弾性柱体を、所望の立て掛け状配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽してなるものとしたことを特徴とする献花用装飾具。
【請求項３】
直状か、または一部もしくは全体を変形させるかして適宜太さと長さとに形成した柔軟可撓性ある独立発泡樹脂製の弾性柱体を、所望の配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽すと共に、必要に応じて造花の植設部を接着剤で固着してなるものとしたことを特徴とする献花用装飾具。
【請求項４】
直状、または一部もしくは全体を変形させて適宜太さと長さとに形成した柔軟可撓性ある独立発泡樹脂製の弾性柱体を、適所に生花のみを適宜飾り付け可能な生花用装飾部を形成してなる装飾用台座の適所に装着、支持させた上、該弾性柱体の周壁面に任意の角度と配置具合とによって多数の造花の茎または枝等を突き刺し状に植設して当該弾性柱体の少なくとも一側周壁面を覆い尽すと共に、必要に応じて造花の植設部を接着剤で固着してなるものとしたことを特徴とする献花用装飾具。
【請求項５】
一部もしくは全体を変形させて適宜太さの輪状に形成した柔軟可撓性ある独立発泡樹脂製の弾性柱体を、装飾用台座の正面略中央に形成され、生花のみを適宜飾り付け可能な生花用装飾部の縁周囲を一周するよう装着、支持させた上、該弾性柱体の周壁面に任意の角度と配置具合とによって多数の造花の茎または枝等を突き刺し状に植設して当該弾性柱体の少なくとも一側周壁面を覆い尽すと共に、必要に応じて造花の植設部を接着剤で固着してなるものとしたことを特徴とする献花用装飾具。
【請求項６】
適宜太さと長さとに形成した柔軟可撓性ある独立発泡樹脂製の弾性柱体を、所望の姿勢配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽した上、同弾性柱体周壁面の適所に、献納者名を表示する名札や、その他の装飾品等を、それらの適所に針状または棒状をなして一体化された支持棒を、突き刺し状に植設、飾り付けしたことを特徴とする献花用装飾具。
【請求項７】
適宜太さと長さとに形成した柔軟可撓性ある独立発泡樹脂製の弾性柱体を、装飾用台座への装着に適する形状とするよう直状、または一部もしくは全体を変形させて所望の配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽すと共に、必要に応じて造花の植設部を接着剤で固着して飾り付けを行い、献花に供するものとし、献花を終了した後には、生花のみを適宜利用または処分してしまう一方、複数の造花が植設状態に残された弾性柱体は、装飾用台座と共に装飾に再度利用するか、あるいは、装飾用台座から取り外して別の装飾用台座に装着する等して装飾に再利用することを特徴とする、請求項１ないし６何れか一項記載の献花用装飾具を利用した献花の装飾方法。
【請求項８】
一部もしくは全体を変形させて適宜太さの輪状に形成され柔軟可撓性ある独立発泡樹脂製の弾性柱体を、装飾用台座の正面略中央に形成され、生花のみを適宜飾り付け可能な生花用装飾部の縁周囲を一周するよう装着、支持させた上、該弾性柱体の周壁面に任意の角度と配置具合とによって多数の造花の茎または枝等を突き刺し状に植設して当該弾性柱体の少なくとも一側周壁面を覆い尽すと共に、必要に応じて造花の植設部を接着剤で固着して飾り付けを行い、献花に供するものとし、献花を終了した後には、生花のみを適宜利用または処分してしまう一方、複数の造花が植設状態に残された弾性柱体は、装飾用台座と共に装飾に再度利用するか、あるいは、装飾用台座から取り外して別の装飾用台座に装着する等して装飾に再利用することを特徴とする、請求項１ないし６何れか一項記載の献花用装飾具を利用した献花の装飾方法。
【請求項９】
適宜太さの長尺状に形成された柔軟可撓性ある独立発泡樹脂製の弾性柱体を、装飾用台座への装着に適する長さ寸法に切断し、直状、または一部もしくは全体を変形させて所望の配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽すと共に、必要に応じて造花の植設部を接着剤で固着して飾り付けを行い、献花に供するものとし、献花を終了した後には、生花のみを適宜利用または処分してしまう一方、複数の造花が植設状態に残された弾性柱体は、装飾用台座と共に装飾に再度利用するか、あるいは、装飾用台座から取り外して別の装飾用台座に装着する等して装飾に再利用することを特徴とする、請求項１ないし６何れか一項記載の献花用装飾具を利用した献花の装飾方法。
【発明の詳細な説明】
【０００１】
【発明の目的】
この発明は、冠婚葬祭その他の各種式典やパーティー等に設ける祭壇やその周辺、または会場内の適所等に、主催者あるいは参加者、参列者等の志によって飾られる生花や造花等の装飾に関するものであり、特に、花の茎や枝等の飾り付けを容易くし、またその姿勢の選択が自在且つ安定したものになると共に、その飾り付け作業は勿論のこと、その撤去作業についても極めて効率的に実施可能とするようにした新規な構造からなる献花用装飾具、およびそれを利用した新規な献花の装飾方法を提供しようとするものである。
【０００２】
【従来の技術】
冠婚葬祭やその他の各種式典、祝賀会等では、その行事を盛り上げるため、祭壇やその周辺、ならびにテーブル上や会場内適所に生花や造花等の飾り付けを欠かすことがでず、多くの場合、主催者や血縁縁者、あるいは参加、参列者等の希望により、その行事に相応しい豪華、絢爛な生花や造花等の装飾品の飾り付けをするのが一般的である。
【０００３】
このように荘厳で豪華な飾り付けに使用される生花や造花は、依頼者からの花の種類や色、花飾りの大きさや形状等の注文に応じ、会場主催者や生花店、葬儀社等の専門業者の手によってその都度、個別に製作されるのが一般的であり、任意直径の花輪を飾り付けするような場合には、例えば比較的太めの針金を用いて所望の直径の輪状骨格を形成し、その輪状骨格に多数本の様々な種類の生花や造花の茎や枝部分を接線状に沿わせ、夫々が脱落しないよう比較的細い紐や針金等を茎や枝に巻付けて装着すると同時に、花や葉の向きを所望する配置、角度に留まるよう縛り付けて固定するようにして行っている。
【０００４】
ところが、これらをバランス良く、しかも依頼人の望みどおり豪華で美しくなるように飾り付けるには、かなりの熟練と経験とを要する上、飾付け作業を開始してから完成するまでにかなり長時間を要することになるため、短時間の中に会場の設営を済ませなければならないときや、その飾付け数の多いとき等には、飾付け専門作業者といえども、その負担が増大してしまうという欠点があり、さらに、式典やパーティー等が終了した後に撤去、処分する際にも、紐や針金等によって確りと縛り付けられた生花や造花を取り外す作業に相当の時間と手間とを要してしまうといった具合に、飾付け、撤収のための作業効率は旧態依然として悪いままに放置されてきていて、商品単価が変らないか、寧ろ値下げされる中で人件費の高騰に災いされ、飾付けの職種が割に合わないものになりつつある。
【０００５】
そこで、こうした献花用の飾付けを、簡便、廉価なものにしようとする試みもなされていて、例えば登録実用新案第３０４３９８５号公報に開示されている「献花塔」考案等が散見されるような、比較的安価な発泡スチロール製柱状体の立体取付け面に対して生花や造花を簡単に取り付けできるようにしたものも既に提案済みとなっているが、同公報にある「献花塔」考案のようなものでは、脚部を伸縮調整可能とし、あるいは照明装置を組み込む構造等に多くの工夫が凝らし過ぎたものとなっており、花の飾り付け部分に関しては、飾り付ける花の種類や色、配置等に多少の変化を与えることができるものの、注文先からの依頼に応じて花輪や盛り籠等何れにも手際良く応用が利いた上に、突発的な要因等で大幅な形状変更を要するときにも容易に対応可能にするという点等では必ずしも十分なものとする訳にはいかなかった。
【０００６】
この発明は、上記のような実情に鑑み、長年に渡ってこの種業界に携わってきた者の一人として、これまで長い間飾り付け作業が等閑になっていることを顧みて、顧客のニーズに応じた生花や造花を、希望寸法および形状に自在に飾付けでき、しかも熟練を要さずとも高い品質を維持して迅速且つ廉価なものにできないものかとの判断から、逸速くその開発、研究に着手し、長期に渡る試行錯誤と幾多の試作、実験とを繰り返してきた結果、茲に来て遂に新規な構造の献花用装飾具、およびそれを利用した新規な献花の装飾方法を実現化することに成功したものであり、以下では、図面に示すこの発明を代表する実施例と共に、その構成を詳述することとする。
【０００７】
【発明の構成】
図面に示すこの発明を代表する実施例からも明確に理解されるように、この発明の献花用装飾具は、基本的に次のような構成から成り立っている。
即ち、適宜太さと長さとに形成した柔軟可撓性ある独立発泡樹脂製の弾性柱体を、所望の姿勢配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽してなるようにした構成を要旨とする献花用装飾具である。
【０００８】
この基本的な構成からなる献花用装飾具を、より具体的な構成のものとして示すと、適宜太さと長さとに形成した柔軟可撓性ある独立発泡樹脂製の弾性柱体を、所望の立て掛け状配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽してなる構成の献花用装飾具ということができる。
【０００９】
さらに具体的な構成で示せば、直状、または一部もしくは全体を変形させて適宜太さと長さとに形成した柔軟可撓性ある独立発泡樹脂製の弾性柱体を、所望の配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽すと共に、必要に応じて造花の植設部を接着剤で固着してなる構成によるものとした献花用装飾具となる。
【００１０】
これを換言するならば、直状、または一部もしくは全体を変形させて適宜太さと長さとに形成した柔軟可撓性ある独立発泡樹脂製の弾性柱体を、適所に生花のみを適宜飾り付け可能な生花用装飾部を形成してなる装飾用台座の適所に装着、支持させた上、該弾性柱体の周壁面に任意の角度と配置具合とによって多数の造花の茎または枝等を突き刺し状に植設して当該弾性柱体の少なくとも一側周壁面を覆い尽すと共に、必要に応じて造花の植設部を接着剤で固着してなるものとした献花用装飾具ということも可能である。
【００１１】
さらに、一部もしくは全体を変形させて適宜太さの輪状に形成した柔軟可撓性ある独立発泡樹脂製の弾性柱体を、装飾用台座の正面略中央に形成され、生花のみを適宜飾り付け可能な生花用装飾部の縁周囲を一周するよう装着、支持させた上、該弾性柱体の周壁面に任意の角度と配置具合とによって多数の造花の茎または枝等を突き刺し状に植設して当該弾性柱体の少なくとも一側周壁面を覆い尽すと共に、必要に応じて造花の植設部を接着剤で固着してなる構成の献花用装飾具といえる。
【００１２】
それをより具体的には、適宜太さと長さとに形成した柔軟可撓性ある独立発泡樹脂製の弾性柱体を、所望の姿勢配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽した上、同弾性柱体周壁面の適所に、献納者名を表示する名札や、その他の装飾品等を、それらの適所に針状または棒状をなして一体化された支持棒を、突き刺し状に植設、飾り付けしてなるものとした構成による献花用装飾具であるとして示すこともできる。
【００１３】
弾性柱体は、それ自体を所望する形状に自由に変形させることが可能であり、装飾用台座に対して所望する姿勢および配置で装着することができ、しかも造花や生花の茎や枝等を所望の角度および配置とするよう自由に突き刺すことにより、これら造花や生花を植設状に姿勢維持させる機能を果たすものであり、手作業によって一部または全体を湾曲状の所望する骨格に変形可能な程度の柔軟可撓性を有すると共に、造花や生花を比較的容易に突き刺すことができる上、これら造花や生花の飾付け姿勢を維持できる程度の剛性を有して複数箇所に造花や生花を突き刺しても十分な強度を確保できるよう、例えば独立発泡ウレタン、独立発泡ポリスチレン、独立発泡スチロール、独立発泡ポリエチレン、独立発泡ポリ塩化ビニル、独立発泡ＰＭＩ（ポリメタクリルイミド）、独立発泡ＰＥＩ（ポリエーテルイミド）等の独立発泡樹脂製のものとしなければならない。
【００１４】
そして、それらは、後述する装飾用台座への装着長寸法に合わせて予め成型されたものとすることができる外、ある標準化された長さ寸法に製造された素材を、使用の際に装飾用台座の装着長寸法に合わせて切断し、これ等を単独使用するものとしたり、長さが不足する場合や太さや幅が不足する場合には、２個以上の弾性柱体を不足箇所に接合状、継足し状に連続するよう組み合わせ、使用することも可能であり、何れも、ある標準化された長さ寸法に製造されたものを基準にし、変形してどのような装飾用台座に対しても応用が利くものとすることにより、単価をさげて自在に使用あるいは使い捨てできるようにしたものとする。
【００１５】
装飾用台座は、地上や壁、その外の当該献花用装飾具を保持または支持可能な場所に姿勢維持するよう設置可能とし、弾性柱体の装着形状を固定的に維持可能とするようした、従前からも広く採用されてきていたものと同様の機能を果たすものでであり、直状か、または一部もしくは全体を変形させるかした弾性柱体を所望の配置に装着、支持できるもので、弾性柱体の装着形状の仮固定、および装着支持を可能とする鈎金具や固定針等の掛着用の金具類を設けたり、バンドやクリップ、剥離紙が貼着してあって使用時にその剥離紙を剥がし取って使用する粘着面部等の装着部を形成したものである。
【００１６】
そして、その全体形状も、従前からも採用されてきているもののように、例えば、弾性柱体を所定高さ位置に支持可能な脚部を有するスタンド型や、籠状や箱状等の台座を形成してその上部に弾性柱体を保持可能とする台座型、あるいは、四隅に脚部を有するテーブル型、地上等に平置き状配置としたり、壁面に立て掛けたり、あるいは天井面に吊下げる等の装飾が可能な平板型、階段状をなした雛壇型、盛り花状の飾り付けを可能とする手提げ籠型等とすることが可能である外、人がくぐり抜けできる門型や、アーチ形の骨格形状をなしたものや、水面上に浮遊可能とした水浮上型のものとすること等、様々な形状のものであり、どのような形状、構造のものにあっても、前記した弾性柱体は、自在に対応可能となるものである。
【００１７】
生花用装飾部は、上記装飾用台座とは別体とするか、一体のものに作り付けられたものとし、装飾用台座の適所に専ら生花を装飾するのに都合の良い形状、構造のものとし、必要に応じて給水して生花のままに少しでも長く維持できるようにする機能を果たすものであり、器状をなして切り花を飾付け可能になるようにしたものの外、連続発泡樹脂を器状の容器内に収容し、生花を突き刺し状に植設し、必要に応じて水分を含浸させるような構造を付加したものとして給水可能になるようしたもの等とする。
【００１８】
造花は、弾性柱体に突き刺し状に植設されて装飾すると共に、長期に渡る使用や繰り返しの使用にも耐え、単独での使用の外、生花と相俟って、あるいは生花を補完するようにして経済的な飾り付けを可能とする機能を果たす従前からも使用されてきたものと同様であり、草花や樹木の枝等の飾り付けに適する多種類に及ぶ植物類を、合成樹脂その他の材料によって生花に酷似する形状や配色に複製するようにした、所謂模造花であり、周辺物品への衝突、干渉や花同士の軽度の接触等によって簡単に花びらが散ってしまったり、茎や葉等が折曲、破損したりしない程度の強度を有するものとしなければならない。
【００１９】
生花は、本来飾り付けの主体をなし、華やかさ、美しさと同時に香りを漂わせて飾り物としての雰囲気を高める機能を果たすものであり、草花やその茎や枝、および樹木の花や幹、枝、葉等の飾り付けに適するあらゆる種類の植物類そのもの自体であり、適宜自由に選択して飾り付けることが可能であり、前記してある装飾用台座生花用装飾部だけに飾り付けるようする外、適宜組合せで造花と混在状にして弾性柱体に突き刺し状に植設、使用し、その組合せを工夫して造花に補完された豪華さを引き出したり、混在した状態にした飾り付け方で生花だけでは実現し得ない華やかさを演出したものとする。
【００２０】
【関連する発明】
上記した献花用装飾具に関連し、この発明にはその献花用装飾具を利用して飾り付けを行なう献花の装飾方法も包含されており、その構成は、基本的に次のとおりのものである。
即ち、適宜太さと長さとに形成した柔軟可撓性ある独立発泡樹脂製の弾性柱体を、装飾用台座への装着に適する形状とするよう直状、または一部もしくは全体を変形させて所望の配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽すと共に、必要に応じて造花の植設部を接着剤で固着して飾り付けを行い、献花に供するものとし、献花を終了した後には、生花のみを適宜利用または処分してしまう一方、複数の造花が植設状態に残された弾性柱体は、装飾用台座と共に装飾に再度利用するか、あるいは、装飾用台座から取り外して別の装飾用台座に装着する等して装飾に再利用することとした、この発明の基本をなすところの献花用装飾具を利用した献花の装飾方法である。
【００２１】
これを、より具体的な表現で示すと、一部もしくは全体を変形させて適宜太さの輪状に形成され柔軟可撓性ある独立発泡樹脂製の弾性柱体を、装飾用台座の正面略中央に形成され、生花のみを適宜飾り付け可能な生花用装飾部の縁周囲を一周するよう装着、支持させた上、該弾性柱体の周壁面に任意の角度と配置具合とによって多数の造花の茎または枝等を突き刺し状に植設して当該弾性柱体の少なくとも一側周壁面を覆い尽すと共に、必要に応じて造花の植設部を接着剤で固着して飾り付けを行い、献花に供するものとし、献花を終了した後には、生花のみを適宜利用または処分してしまう一方、複数の造花が植設状態に残された弾性柱体は、装飾用台座と共に装飾に再度利用するか、あるいは、装飾用台座から取り外して別の装飾用台座に装着する等して装飾に再利用することとした構成からなる献花の装飾方法となる。
【００２２】
また、この発明の献花の装飾方法の構成を、換言するならば、適宜太さの長尺状に形成された柔軟可撓性ある独立発泡樹脂製の弾性柱体を、装飾用台座への装着に適する長さ寸法に切断し、直状、または一部もしくは全体を変形させて所望の配置で装飾用台座に装着、支持させた上、該弾性柱体の周壁面に任意の角度と配置具合とによって多数の生花や造花等の茎または枝等を突き刺し状に植設して当該弾性柱体の少なくとも一側周壁面を覆い尽すと共に、必要に応じて造花の植設部を接着剤で固着して飾り付けを行い、献花に供するものとし、献花を終了した後には、生花のみを適宜利用または処分してしまう一方、複数の造花が植設状態に残された弾性柱体は、装飾用台座と共に装飾に再度利用するか、あるいは、装飾用台座から取り外して別の装飾用台座に装着する等して装飾に再利用するようにした構成による献花の装飾方法であるというこが可能である。
【００２３】
弾性柱体の取扱いは、献花の装飾に際し、予め装飾用台座に装着する形状および寸法に形成されている弾性柱体を、装飾用台座の適所に装着した後に、装飾用台座の形状や弾性柱体の形状、および注文先からの依頼に応じて適宜生花や造花を用いて飾り付けを行ない、献花に供された後には、生花だけを取り外して適宜利用するか、あるいは処分するかしてしまい、植設状態に残された造花だけを、そのまま装飾用台座ごと利用するものとするか、もしくは弾性柱体諸共装飾用台座から取り外して再利用するかしたものにでき、必要に応じて植設状態にある造花を弾性柱体から取り外して弾性柱体と造花とを、夫々別の飾り付けに再利用することも可能である。
【００２４】
また、適宜規格化された太さおよび長さに寸法統一された弾性柱体を、長尺ロール状にするか、あるいは複数本の棒状とする等して準備しておき、注文先からの依頼を受けた後、その注文内容に応じて装飾用台座を選択し、飾り付けの形状や花の種類等に応じて最適な寸法となるよう弾性柱体を切断または接続し、装飾用台座の所望する位置に、弾性柱体を直状に、あるいは一部もしくは全体を変形させるようにした状態で固定的に装着し、その後に、生花や造花等を適宜装飾していくようにすることもできる外、この弾性柱体は、複数本の端部同士を軸線方向に継ぎ足して実質的に延長させたり、周壁面同士を接合させて束ねることによって実質的に外周寸法を太くしたり、あるいは実質的に平板形状、円弧板形状、波板形状等様々な形状、構造のものにも組み立て可能である。
【００２５】
一方、装飾用台座には、その適所に生花用装飾部を設け、そこには生花だけを装飾するものとし、造花は、装飾用台座の適所に装着された弾性柱体にのみ装飾する場合には、生花用装飾部への生花の飾り付け作業を優先させ、弾性柱体への造花の飾り付けを後にすることができる外、弾性柱体の造花の飾り付けを先に行ない、生花用装飾部への生花の飾り付けを、その後に行なうようにすることも可能であり、さらにまた、生花用装飾部への生花の飾り付け作業と、弾性柱体への造花の飾り付け作業とを、同時平行して全体のバランスを見ながら飾り付けを進めることも可能である。
以下では、図面に示すこの発明を代表する実施例と共に、その構造について詳述することとする。
【００２６】
【実施例１】
図１の分解状態にある飾り付け作業中の弾性柱体の斜視図、図２の装飾用台座に装着される弾性柱体の斜視図、および図３の飾り付けが完成した献花用装飾具の斜視図に示される事例は、直状の弾性柱体をスタンド型装飾用台座の上部に鉛直状に装着し、当該弾性柱体の前側周壁面を覆うよう造花だけを植設状に飾り付けして形成されるようにした、この発明の基本的構成からなる献花用装飾具を代表する一実施例を示すものである。
【００２７】
当該献花用装飾具１は、スタンド型の装飾用台座３の上部に、複数本の造花４，４，……が植設された弾性柱体２を装着してなり、その構造をこの発明の献花の装飾方法に従って示すと、図１中に示すように、独立発泡ポリ塩化ビニル製であって直径が７ないし８ｃｍ程度、長さ約３０ｃｍの円柱状に形成された弾性柱体２の下端側背面に、上下長約２０ｃｍ、幅３ｃｍ、奥行１ｃｍ程度の矩形状の嵌合溝２１を形成し、該嵌合溝２１に、長さ約３０ｃｍ、幅３ｃｍ、肉厚１ｃｍの支持棒２２の上端側を接着剤を用いて装着し、必要に応じて針金やプレスチック製バンド等を用いて縛り付ける等して弾性柱体２に強固に一体化させたものとする。
【００２８】
一方、図２中に示すとおり、直径が凡そ５０ｃｍの円盤型に形成された設置板３１の中央に、直径が５ｃｍ長さが５０ｃｍの脚柱３２を立設し、同脚柱３２の上端に直径７ｃｍ長さ２０ｃｍ程度の円筒状に形成された装着筒３３を一体に形成してなる装飾用台座３を設け、前記弾性柱体２に一体化された支持棒２２の下端側を、装飾用台座３上部の装着筒３３に同図２中に矢印で示すように差し込み、弾性柱体２を鉛直状の姿勢とするよう支持したものとする。
【００２９】
そして、図１および図３中に示すように、弾性柱体２の円筒周面における正面側に面する１８０ないし３２０度程度の角度範囲に渡り、客先の注文内容に応じた複数本、複数種類の造花４，４，……を、その茎基端や枝基端から所望角度、所望配置となるよう突き刺して植設すると共に、同弾性柱体２の上端面にも造花４，４，……を、突き刺し状に植設して飾り付け、抜け落ちや回転等が心配される植設箇所には適宜接着剤を塗布あるいは注入する等して造花４，４，……の姿勢を固定してしまうものとする。
【００３０】
また、茎や枝部分に針金が内蔵されて折り曲げ可能な造花４，４，……を用いて弾性柱体２の背面側の部分に突き刺し状に植設し、茎や枝部分を適宜折り曲げることにより、花や葉を回り込ませるように側面側または正面側に向ける等して奥行感のある装飾を施したものとすることも可能である。
【００３１】
【実施例２】
図４の飾り付け作業中の円形状に湾曲された弾性柱体の斜視図、図５の組立て型の装飾用台座に装着される弾性柱体の斜視図、図６の生花用装飾部を装着する献花用装飾具の斜視図、および図７の飾り付けを完了した献花用装飾具の斜視図に示される事例は、組立て型の装飾用台座の装飾範囲における正面中央に生花のみを用いて装飾を行なう円盤状の生花用装飾部を形成し、同生花用装飾部の周縁部分に沿って円環状に湾曲形成された弾性柱体を装着し、該弾性柱体に沿って造花のみを植設状に飾り付けして形成されるものとしたこの発明の献花用装飾具における他の実施例を示すものである。
【００３２】
この献花用装飾具１は、深底型の籠を倒立状に伏せた形状の台座下部３５と、上側開口縁部を前傾状とした籠型の台座上部３４とに分離して形成され、これら台座上部３４および台座下部３５を連結状に組み立てると共に、該台座上部３４の傾斜状の上側開口部分に、生花用装飾部３９および弾性柱体２の夫々を適所に装着可能とする装飾板３６を装着してなる装飾用台座３を有している。
【００３３】
そして、該装飾用台座３は、その台座上部３４、台座下部３５および装飾板３６が、ＰＰやＡＢＳ等の合成樹脂製であり、夫々の接合部には脱着可能な図示しない嵌合部が形成され、図５および図６に示すように、組み立てることが可能であって、装飾板３６の表面側中央には、図６中に示される円盤状の生花用装飾部３９を嵌合状に装着可能な中央凹欠部３７が形成されており、また、同装飾板３６の中央凹欠部３７の外周部分には、環状に湾曲された弾性柱体２を嵌合状に装着可能とするフランジ状座面３８が形成されたものとなっている。
【００３４】
生花用装飾部３９は、円盤状に成型、あるいは裁断、形成された連続発泡ウレタン等の吸水性スポンジを、大径の有底短円筒状の薄肉容器内に収容し、装飾板３６の中央凹欠部３７に嵌合状に装着され、該吸水性スポンジに生花の茎や枝等を突き刺し状に植設可能とし、給水された水が漏れ出すことのないよう形成されたものとしてある。
【００３５】
弾性柱体２は、１０ｃｍ前後の直径を有する独立発泡ウレタン製であって予め円環状に成型されてなるか、あるいは、円柱棒状に成型されたものを、設置場所等において装飾板３６のフランジ状座面３８部分の円周長さに合わせて切断し、両端面を突き合わせた状態に接着、あるいは紐や針金、止め金具等を適宜用いる等して連結したものであり、装飾板３６のフランジ状座面３８に嵌合状に装着される。
【００３６】
このようにして組み立てられた装飾用台座３の生花用装飾部３９には、図示しない複数本、複数種類の生花を、弾性柱体２には、図７中に示すように、複数本、複数種類の造花４，４，……を、夫々の茎や枝部分を突き刺し状に植設することにより、客先からの注文に応じた花や樹木の枝等を適宜姿勢で配置させるものであり、同図７中に示すとおり、造花４，４，……を先に弾性柱体２に植設し、その後に、図示しない生花を、中央の生花用装飾部３９に植設することが可能である外、先に、図示しない生花を生花用装飾部３９に植設した後に、弾性柱体２に造花４，４，……を植設することも可能であり、また、生花と造花４，４，……とのバランスを見ながら、双方を平行して夫々の箇所に植設するように装飾作業を進めることもでき、必要と思われる造花４，４，……の植設部分を接着剤を用いて弾性柱体２に接着、一体化してしまい、最終的に中央の円形範囲部分に生花が飾り付けられ、その周囲を取り巻くように造花４，４，……が飾り付けられた献花用装飾具１を完成させることができる。
【００３７】
【作用】
以上のとおりの構成からなるこの発明の献花用装飾具１は、前述のとおりこの発明の献花の装飾方法によって組み立て、装飾したから、図１ないし図３に示すように、独立発泡樹脂製の弾性柱体２に対し、所望する配置および角度に各造花４，４，……を突き刺し状に植設し、必要に応じて植設部分を接着剤で固着したものなって思いどおりの飾り付けを迅速に行なうことが可能となり、運搬による振動や周囲を移動する人や物の接触を受けたときにも、不用意な花の移動や姿勢の変化を防止して当初の装飾状態を維持し得る。
【００３８】
図４ないし図７の献花用装飾具１は、装飾用台座３が台座上部３４、台座下部３５および装飾板３６に分解できるため、運搬や保管の際には分解した状態で保管することが可能であり、装飾板３６の中央に生花を植設可能な生花用装飾部３９を装着し、その外周側に輪状とした弾性柱体２を装着する構造としてあって、外周側の弾性柱体２に植設された造花４，４，……が、中央の生花用装飾部３９に植設された生花を、外部との接触や移動する人や物の接触から保護すると共に、乾燥を防いで保湿するものとなる。
【００３９】
また、当該献花用装飾具１は、献花に供された後に撤去しようとするときには、生花用装飾部３９に飾り付けられた生花を個別に抜き取って花束にして持ち帰ったり、別の花瓶やフラワーアレンジメントの飾り付けに再利用することが可能であり、また、造花４，４，……が植設されている弾性柱体２は、そのまま保管しておき再利用することが可能である外、客先からの注文に応じて一部の造花４，４，……を差し替えたり、生花を追加する等して再利用することができるものとなる。
【００４０】
【効果】
以上のとおり、この発明の献花用装飾具では、何よりも先ず、柔軟可撓性ある独立発泡樹脂製の弾性柱体を用いていて、当該弾性柱体を所望の形状に自在且つ柔軟に変形させることができるようになり、生花や造花を自由な形状に飾り付けることができる上、これら生花や造花等の茎や枝を突き刺し状に植設できるので、従前までの紐や針金を用いた縛り付けによる飾り付け構造に比較し、花や葉の向きを正確に設定することができるようになり、経験や熟練度の浅い作業者であっても、適宜太さと長さとに形成された弾性柱体が、花の飾付け作業を格段に容易なものとし、迅速な飾り付けと良好な仕上がりを得ることができるようになり、組立て飾付けの工数を削減して作業効率を大幅に向上させることができるという秀れた特徴が発揮されるものとなる。
【００４１】
また、この発明の献花の装飾方法によれば、柔軟可撓性ある独立発泡樹脂製の弾性柱体を、規格化して直状か、一部もしくは全体を変形させて所望の形状、配置とするよう装飾用台座に装着、支持させるものとしたから、該弾性柱体の周壁面の任意の角度と配置具合とするよう多数の生花や造花等を突き刺し状に植設することが可能となり、思いどおりの飾り付けを迅速に行なうことができ、しかも必要に応じて造花の植設部分を接着剤で固着してしまい、献花に供している間の造花の不用意な回転移動や脱落等を防止して飾付け当初の形状をそのまま維持することができるようにするという装飾作業に実利的な特徴が得られることになる。
【００４２】
そして、献花を終了した後には、生花だけを取り外して適宜再利用または処分してしまい、造花だけを植設状態のまま残して次回の飾り付けに再利用したり、あるいは、一部もしくは全部の造花を抜き取ってしまい、造花および弾性柱体の夫々を、別途再利用することが可能であり、従前までのように、生花や造花を針金や紐等を用いて縛り付けてしまう飾付け方法に比較して生花を傷付けることも少なく、十分に再利用できる状態のまま簡便に取り外すことができるようになり、特に祝い事のパーティー等においては、閉会後に出席者が会場を出るときに、植設されている生花を適宜抜き取って一本ずつ、または花束にして持ち替えることも容易であり、さらに弾性柱体および造花については、そのままか、適宜変形するかして複数回に渡って再使用できるという経済的な効果を発揮するものである。
【００４３】
特に、実施例に説明した献花用装飾具は、上記した特徴に加え、図１ないし図３に示したように、所定太さと長さとに形成した直状の弾性柱体２を、脚柱３２上の装着筒３３に直立状に支持させるようにし、該弾性柱体２の前側周壁面および上端面に、複数本の造花４，４，……を、所望の角度および配置とするよう突き刺し状に植設できるものになることから、従前までであれば、脚柱上側に複数の細筒を斜め上前方に向けて並べ置いたものを、上下複数段に渡って形成し、それら各細筒に造花を差し込み、必要に応じて造花を無理に折り曲げたり、紐や針金で縛り付け固定しながら、花や枝葉等を所望する向きに飾り付けしなければならなかったものが、これら作業を一切無くして迅速に美しい仕上がりを得ることができるという利点がある。
【００４４】
さらに、図４ないし図７に示したように、連続発泡樹脂製の生花用装飾部３９と独立発泡樹脂製の弾性柱体２とを別体に形成し、装飾用台座３装飾板３６の中央に生花用装飾部３９を装着し、その周囲に輪状に変形させた弾性柱体２を装着したものでは、中央の生花用装飾部３９には生花を植設し、給水して鮮度を保持するようにすると共に、その周囲の輪状の弾性柱体２には、様々な種類の造花４，４，……を植設し、必要に応じてそれらの植設部分を接着して安定させたものとし、仮令周辺を移動する人や物に接触したとしても、周囲の造花４，４，……が中央の生花を保護して何時までも献花全体のボリューム感を維持し続けられるという大きな効果が得られるものとなる。
【００４５】
叙述の如く、この発明の献花用装飾具、およびそれを利用した献花の装飾方法は、その新規な構成によって所期の目的を遍く達成可能とするものであり、しかも製造容易で、職人が造りあげる仕様の従前からの献花に比較し、遥かに経済的なものとすることができる上、経験の少ない作業者であっても飾付けの作業効率を大幅に高めることができるものとなって、作業時間の短縮と費用の削減とを確実に達成可能にするものになることから、豪華で荘厳な献花をできるだけ低価格で提供することが求められている生花店や冠婚葬祭の関係者等、献花用装飾具関連業界において高く評価され、広範に渡って利用、普及していくものになると予想される。
【図面の簡単な説明】
図面は、この発明の献花用装飾具、およびそれを利用した献花の装飾方法の技術的思想を具現化した代表的な幾つかの実施例を示すものである。
【図１】直状の弾性柱体に造花を植設する状態を示す斜視図である。
【図２】スタンド型の装飾用台座に弾性柱体を装着する状態を示す斜視図である。
【図３】飾り付けが完了した献花用装飾具の斜視図である。
【図４】輪状に湾曲した弾性柱体に造花を植設する状態を示す斜視図である。
【図５】装飾用台座の組み立て手順を示す斜視図である。
【図６】装飾用台座に生花用装飾部を装着する状態を示す斜視図である。
【図７】輪状弾性柱体への飾り付けを終えた献花用装飾具を示す斜視図である。
【符号の説明】
１      献花用装飾具
２      弾性柱体
２１    同  嵌合溝
２２    同  支持棒
３      装飾用台座
３１    同  設置板
３２    同  脚柱
３３    同  装着筒
３４    同  台座上部
３５    同  台座下部
３６    同  装飾板
３７    同  中央凹欠部
３８    同  フランジ状座面
３９    同  生花用装飾部
４      造花
【図１】
2004242968.tif 000003
【図２】
2004242968.tif 000004
【図３】
2004242968.tif 000005
【図４】
2004242968.tif 000006
【図５】
2004242968.tif 000007
【図６】
2004242968.tif 000008
【図７】
2004242968.tif 000009